(57)【要約】【課題】容易にしかも低コストでユニット前面部に設けられるスピーカ部及びポート部を水から保護することができ、音質向上及び高信頼性を図ること。【解決手段】スピーカ部２及びポート部３が開口するユニット前面部１ａの外周部にフランジ部６を設け、スピーカ部２及びポート部３をフランジ部６の前面よりも後方Ｂに入り込んだ位置に配置すると共に、フランジ部６の前面に伝い水を外側へ排水するための切欠き７を形成した水切り機能を備えたバスレフ型スピーカユニット１である。【選択図】図１
2008054249.tif 000002
【特許請求の範囲】
【請求項１】
住宅設備の水廻りに設置されるバスレフ型スピーカユニットであって、スピーカ部及びポート部が開口するユニット前面部の外周部にフランジ部を設け、上記スピーカ部及びポート部をフランジ部の前面よりも後方に入り込んだ位置に配置すると共に、フランジ部の前面に伝い水を外側へ排水するための切欠きを形成したことを特徴とする水切り機能を備えたバスレフ型スピーカユニット。
【請求項２】
上記ユニット前面部のスピーカ部及びポート部を囲む位置で且つ切欠きよりも内側の位置から、切欠きを越えて浸入する水を避けるための水避け用リブを突設したことを特徴とする請求項１記載の水切り機能を備えたバスレフ型スピーカユニット。
【発明の詳細な説明】
【技術分野】
【０００１】
本発明は、  住宅設備の水廻りに設置される水切り機能を備えたバスレフ型スピーカユニットに関するものである。
【背景技術】
【０００２】
近年、トイレ室などの水廻りにスピーカを設置して、流水音等の擬音を発生させたり、好みの音楽を楽しんだりすることが増えてきている。
【０００３】
また、スピーカの音質（特に低音域）を向上させる為に、図４に示すようなスピーカ部２とポート部３（音響共鳴管）とを備えるバスレフ方式のスピーカ１´が一般に知られている（例えば、特許文献１参照）。
【０００４】
ところで、トイレ室内の清掃時には、ホースによる水かけ洗いが十分想定される。このため、浸水によるスピーカの故障を防ぐために前面カバーを取り付けるなどの防水対策が不可欠である。ただし一定の音質を確保するためには前面カバーに開口部を設ける必要があり、水の浸入が容易に起こり得る。とくに、ポート部３（音響共鳴管）内は空気振動をしている為、防水構造を設けることが困難であり、このため図４の矢印イで示すように水の飛沫がスピーカ内部に浸入するという問題がある。なおポート部３に撥水シートを貼る等の防水構造も考えられるが、この場合は、ポート部３からの低音域の音圧が劣化するという別の問題が生じる。また、スピーカ部２においても完全防水されている場合は少なく、スピーカユニット１´の信頼性を向上させるためには、水の付着を極力防ぐようにすることが望ましい。
【０００５】
なお、コーティングされた防水タイプのスピーカユニットを使用することも考えられるが、この場合、一般のコーティングされていないスピーカと比べて使用頻度が極端に低いこともあり、コストが高くつくという課題がある。
【特許文献１】特開２００１−２８５９７８号公報
【発明の開示】
【発明が解決しようとする課題】
【０００６】
本発明は上記の従来の問題点に鑑みて発明したものであって、容易にしかも低コストで、ユニット前面部に設けられるスピーカ部及びポート部を水から保護することができ、音質向上及び高信頼性を図ることができる水切り機能を備えたバスレフ型スピーカユニットを提供することを課題とするものである。
【課題を解決するための手段】
【０００７】
前記課題を解決するために本発明は、住宅設備の水廻りに設置されるバスレフ型スピーカユニットであって、スピーカ部２及びポート部３が開口するユニット前面部１ａの外周部にフランジ部６を設け、上記スピーカ部２及びポート部３をフランジ部６の前面よりも後方Ｂに入り込んだ位置に配置すると共に、フランジ部６の前面に伝い水を外側へ排水するための切欠き７を形成したことを特徴としている。
【０００８】
このような構成とすることで、スピーカユニット１のユニット前面部１ａに水の飛沫がかかってもその伝い水を切欠き７に沿って外側へ排水できるようになり、また、スピーカ部２及びポート部３がフランジ部６の前面よりも後方Ｂに入り込んだ位置に配置されていることとあいまって、スピーカ部２内及びポート部３内に水が浸入するのを効果的に抑制できるものである。
【０００９】
また、上記ユニット前面部１ａのスピーカ部２及びポート部３を囲む位置で且つ切欠き７よりも内側の位置から、切欠き７を越えて浸入する水を避けるための水避け用リブ８を突設するのが好ましく、この場合、水避け用リブ８によってスピーカ部２及びポート部３への水付着を確実に抑制できるようになる。
【発明の効果】
【００１０】
本発明の水切り機能を備えたバスレフ型スピーカユニットは、スピーカ部及びポート部が開口するユニット前面部の外周部にフランジ部を設け、スピーカ部及びポート部をフランジ部の前面よりも後方に入り込んだ位置に配置すると共に、フランジ部の前面に水切り用の切欠きを形成したことにより、ユニット前面部に設けられるスピーカ部及びポート部を水から保護できるので、スピーカユニットの信頼性が向上する。しかもフランジ部に切欠きを形成するだけでよく、ポート部に撥水シートを貼る等の防水構造を必要としないため、容易に且つ低コストで音質向上を図ることができるものである。
【００１１】
また、上記ユニット前面部のスピーカ部及びポート部を囲む位置で且つ切欠きよりも内側の位置から、切欠きを越えて浸入する水を避けるための水避け用リブを突設することにより、切欠きと水避け用リブとの二重の防水構造となり、スピーカ部及びポート部への水付着をより確実に抑制できてスピーカユニットの信頼性をより向上させることができる。
【発明を実施するための最良の形態】
【００１２】
以下、本発明を添付図面に示す実施形態に基いて説明する。
【００１３】
図１（ａ）（ｂ）は、本発明の一実施形態に用いる水切り機能を備えたバスレフ型のスピーカユニット１及び前面カバー４の一例を示し、図２はスピーカユニット１の概略側面断面図を示し、図３はスピーカユニット１のフランジ部６に形成される切欠き７及び水避け用リブ８を説明する図である。
【００１４】
スピーカユニット１は、スピーカ部２と、低周波を増長するポート部（音響共鳴管）３と、これらを収納するエンクロージャーと称される筐体９とで構成されている。図中１の４は、スピーカユニット１の前面を覆う前面カバーであり、スピーカユニット１の発した音を前面カバー４の外部に通過させる複数の開口部５が設けられている。
【００１５】
本例では、ユニット前面部１ａの下部にスピーカ部２が取り付けられ、その上部にポート部３の前面開口が設けられている。ここで、スピーカ部２の背面に放射される音は前面に放射される音に対して位相が１８０°ずれているが、背面に放射される音がポート部３内を通じて前面から放射されるようになり、このときスピーカ部２の前面から放射される音と位相が揃い、低音特性が増強されることで、ポート部３の前面部において低音再生域が拡大されるものである。なお本例では、スピーカ部２の上にポート部３を配置した例を示しているが、両者の位置関係はこれに限定されるものではなく、またスピーカ部２とポート部３の数も特に限定されるものではない。
【００１６】
上記ユニット前面部１ａの外周部には全周に亘ってフランジ部６が突設されている。本例では、フランジ部６の前面よりも後方Ｂに入り込んだ位置にスピーカ部２及びポート部３が配置されていると共に、スピーカユニット１をスピーカ収納部１０（図１（ｂ））に収納した状態で、小口１０ａをフランジ部６によって隠すことができ、このフランジ部６を小口１０ａに当接して固定することにより、スピーカユニット１をスピーカ収納部１０に収納保持できるようになっている。
【００１７】
上記フランジ部６の前面には、図３に示すように、ユニット前面部１ａを伝う伝い水（水滴）を外側へ排水するための溝状の切欠き７が形成されている。切欠き７は、上側のフランジ部６、及び、左右のフランジ部６に、それぞれ、複数設けられている。上側のフランジ部６に設けられる切欠き７は、正面から見て山形状に形成され、その頂部７ａが上側のフランジ部６の上端縁の略中央位置に開口しており、両下端７ｂ，７ｂがポート部３の左右両サイドに向かって斜め下方向に延びており、これにより上からの伝い水がポート部３の左右両側に振り分けられるようになっている。さらに、左側のフランジ部６に設けられる切欠き７は、上端部から下端部にいくほど左側斜め下方向Ａ１に延びている。一方、右側のフランジ部６に設けられる切欠き７は、上端部から下端部にいくほど右側斜め下方向Ａ２に延びている。これら溝状の切欠き７は、上下両端がそれぞれ開口している。本例の左右のフランジ部６に設けられる切欠き７は、図３（ｂ）に示すように、最上部の切欠き７の上端部のみが上側のフランジ部６の上縁部６ａに開口しており、それ以外の切欠き７の上端部は、それぞれ、ユニット前面部１ａの左側（或いは右側）の側縁部１ｂに開口している。また、各切欠き７の下端部は、それぞれ、左側（或いは右側）のフランジ部６の外縁部６ｂに開口している。これら切欠き７は、ユニット前面部１ａの伝い水や飛散した水滴を外側斜め下方向Ａ１，Ａ２に排水することで、スピーカ部２及びポート部３内に水が浸入するのを抑制することができる水切り機能を有している。
【００１８】
上記切欠き７の断面形状は、周知の形状であればどのような形状であってもかまわない。一例として、前方に開口したコ字溝、Ｕ字溝、Ｖ字溝など、任意の溝形状を選択することができる。さらに、水切り機能を高めるために、溝形状の上下の角部のうち、少なくとも上側の角部にＲ加工を施すようにしてもよく、これにより、上方からの伝い水（水滴）を溝形状の内部に効率よく誘引できる構造となる。
【００１９】
さらに、上記ユニット前面部１ａにおけるスピーカ部２及びポート部３を囲む位置で且つ切欠き７よりも内側の位置からは、切欠き７を越えて浸入する水を避けるための水避け用リブ８が前方に向けて突設されている。本例の水避け用リブ８は、図３（ａ）のようにスピーカ部２をその下方から両サイドに亘って囲むＵ形リブ８ａと、スピーカ部２の上方に突設される庇形リブ８ｂと、ポート部３をその上方から左右両サイドに亘って囲む下方に開放された逆Ｕ形リブ８ｃとに分けて構成されている。
【００２０】
しかして、上記ユニット前面部１ａに開口するポート部３及びスピーカ部２をフランジ部６の前面よりも後方Ｂに入り込んだ位置に配置すると共に、フランジ部６の前面に伝い水を外側へ排水するための溝状の切欠き（切込み）７を形成したことによって、スピーカユニット１のユニット前面部１ａに水の飛沫がかかっても図３（ｂ）の矢印Ａ１，Ａ２に示すように、その伝い水を切欠き７に沿って外側へ排水できるようになり、スピーカ部２内及びポート部３内に水が浸入するのを抑制できるようになる。これにより、スピーカ部２及びポート部３を水から保護できるので、スピーカユニット１の信頼性が向上するものであり、そのうえ、フランジ部６の前面の複数個所に外側斜め下方向に沿って切欠き７（切込み）を形成するだけでよく、ポート部３に撥水シートを貼る等の防水構造を必要としないため、容易にしかも低コストで音質向上を図ることができる効果が得られる。
【００２１】
さらに、上記ユニット前面部１ａには、スピーカ部２及びポート部３を囲む位置で且つ切欠き７よりも内側の位置から水避け用リブ８を突設し、切欠き７を越えて浸入する水を水避け用リブ８により避ける構造となっているので、切欠き７と水避け用リブ８の二重の防水構造となり、スピーカ部２及びポート部３への水付着をより確実に抑制でき、スピーカユニット１の信頼性を更に向上させることができるものである。
【００２２】
なお、前記実施形態では水避け用リブ８を、ポート部３とスピーカ部２とを個別に囲む３つのリブ８ａ〜８ｃに分断した場合を説明したが、ポート部３とスピーカ部２の両方を囲む連続した長円形状のリブで構成してもよい。
【００２３】
本発明の水切り機能を備えたバスレフ型スピーカユニット１は、住宅設備の水廻り、例えばトイレ室などに広く適用可能である。
【図面の簡単な説明】
【００２４】
【図１】本発明の一実施形態に用いる水切り機能を有するバスレフ型スピーカユニットを示し、（ａ）はバスレフ型スピーカユニットと前面カバーの概略側面断面図、（ｂ）は分解斜視図である。
【図２】同上のスピーカユニットの側面断面図である。
【図３】（ａ）は同上のスピーカユニットの斜視図、（ｂ）はスピーカユニットのフランジ部に設けられる切欠き及び水避け用リブによる伝い水の排水方向を説明する正面図である
【図４】（ａ）は従来のバスレフ型スピーカユニットの斜視図、（ｂ）は（ａ）のＣ−Ｃ線に沿う破断斜視図である。
【符号の説明】
【００２５】
１  バスレフ型スピーカユニット
１ａ  ユニット前面部
２  スピーカ部
３  ポート部
６  フランジ部
７  切欠き
８  水避け用リブ
Ｂ  後方
【図１】
2008054249.tif 000003
【図２】
2008054249.tif 000004
【図３】
2008054249.tif 000005
【図４】
2008054249.tif 000006